(57)【特許請求の範囲】
【請求項１】
等価な一連のレンズが１列に配列されたレンズアレイと、
ルーフミラーが前記レンズアレイの光軸配列上に平行して複数配列されたルーフミラーアレイと、
前記レンズアレイの各レンズに対応して配設されたアパーチャを備える結像素子において、
前記ルーフミラーが前記各レンズに対して、前記レンズアレイのレンズ配列光軸間の中心とルーフミラーの稜線とが一致するようにして、少なくとも２つ以上配置され、
かつ前記アパーチャの前記ルーフミラーヘの投影幅が投影位置におけるルーフミラーの谷線同士の幅よりも広く、
かつ前記アパーチャの投影部分にある前記ルーフミラーの反射面は、他の部分にあるルーフミラーの反射面よりも小さいことを特微とする結像素子。
【請求項２】
等価な一連のレンズが１列に配列され入射側に位置する第１のレンズアレイと、
該第１のレンズアレイと等価に形成され互いの光軸が直交する位置に配列された結像側の第２のレンズアレイと、
前記２つのレンズアレイの配列方向に直交する方向でかつ各レンズアレイの光軸を含む平面に４５゜となるようにルーフミラーの稜線が配置されたルーフミラーアレイと、
前記２つのレンズアレイの各レンズに対応して配設されたアパーチャを備えるルーフミラーアレイ結像素子において、
前記ルーフミラーが前記各レンズ対に対して、各レンズアレイのレンズの配列光軸間の中心とルーフミラーの稜線とが一致するようにして、少なくとも２つ以上配置され、
かつ前記アパーチャの前記ルーフミラーヘの投影幅が投影位置におけるルーフミラーの谷線同士の幅よりも広く、
かつ前記アパーチャの投影部分にある前記ルーフミラーの反射面は、他の部分にあるルーフミラーの反射面よりも小さいことを特微とする結像素子。
【請求項３】
前記アパーチャの前記ルーフミラーへの投影幅は前記投影位置におけるルーフミラーの両隣にあるルーフミラーの各稜線間の幅よりも小さいことを特徴とする請求項１又は２に記載の結像素子。
【請求項４】
前記アパーチャの前記レンズアレイ方向の中心が、前記ルーフミラーの稜線と一致することを特徴とする請求項１乃至３のいずれかに記載の結像素子。
【請求項５】
等価な一連のレンズが１列に配列されたレンズアレイと、
ルーフプリズムがレンズアレイの光軸配列上に平行して複数配列されレンズアレイと同一部材で一体に形成されたルーフプリズムレンズアレイと、
前記レンズアレイの各レンズに対応して配設されたアパーチャを備える結像素子において、
前記ルーフプリズムが前記各レンズに対して、前記レンズアレイのレンズの配列光軸間の中心とルーフプリズムの稜線とが一致するようにして、少なくとも２つ以上配置され、
かつ前記アパーチャの前記ルーフプリズムヘの投影幅が投影位置におけるルーフプリズムの谷線同士の幅よりも広く、
かつ前記アパーチャの投影部分にある前記ルーフプリズムの反射面は、他の部分にあるルーフプリズムの反射面よりも小さいことを特徴とする結像素子。
【請求項６】
等価な一連のレンズが１列に配列され入射側に位置する第１のレンズアレイと、
該第１のレンズアレイと等価に形成され互いの光軸が直交する位置に配列された結像側の第２のレンズアレイと、
前記２つのレンズアレイの配列方向に直交する方向でかつ各レンズアレイの光軸を含む平面に４５゜となるようにルーフプリズムの稜線が配置され、２つのレンズアレイと同一部材で一体形成されたルーフプリズムレンズアレイと、
２つのレンズアレイの各レンズに対応して配設されたアパーチャを備えるルーフプリズムアレイ結像素子において、
ルーフプリズムが前記２つのレンズアレイの各レンズに対して、レンズアレイのレンズの配列光軸間の中心とルーフプリズムの稜線とが一致するようにして、少なくとも２つ以上配置され、
かつ前記アパーチャの前記ルーフプリズムヘの投影幅が投影位置におけるルーフプリズムの谷線同士の幅よりも広く、
かつ前記アパーチャの投影部分にある前記ルーフプリズムの反射面は、他の部分にあるルーフプリズムの反射面よりも小さいことを特徴とする結像素子。
【請求項７】
前記アパーチャの前記ルーフプリズムへの投影幅は前記投影位置におけるルーフプリズムの両隣にあるループリズムの各稜線間の幅よりも小さいことを特徴とする請求項５又は６に記載の結像素子。
【請求項８】
前記アパーチャの前記レンズアレイ方向の中心が、前記ルーフプリズムの稜線と一致することを特徴とする請求項５乃至７のいずれかに記載の結像素子。
【発明の詳細な説明】
【０００１】
【発明の属する技術分野】
本発明は、結像素子、より詳細には、複写機、ファクシミリ等に用いられる読取光学系、ＣＣＤラインセンサ等倍センサと組み合わせた読み取りスキャナ等に用いられる光学系、及び光プリントヘヅド、自己走査型光ブリントヘッドに用いられる光学系に用いて好適な結像素子に関するものである。
【０００２】
【従来の技術】
従来、等倍結像光学系を構成する方法としては、例えば、特開昭５７−３７３２６号公報に示すような、ルーフミラーレンズアレイを用いる方法、あるいは、例えば、特公昭６１−２９２９号公報に示すように、ルーフプリズムレンズアレイを用いる方法が知られている。
【０００３】
図６は、従来のルーフミラーレンズアレイを用いる方法により作製した結像素子、即ち、レンズアレイとルーフミラーアレイを組み合わせたルーフミラーレンズアレイ結像素子を模式的に示したものである。
図中、１はレンズアレイ、２はルーフミラーアレイ、３はルーフミラーアレイの稜線、４はルーフミラーの反射面、Ｒ1（Ｒ2）はレンズアレイのレンズ、φ１はレンズ３の光軸を表している。
この構成において、例えば原稿から入射した光束は入射側に位置するレンズアレイのレンズＲ1を通してルーフミラーアレイ２の反射面４で２回反射された後、レンズアレイのレンズＲ1（Ｒ2）を通して結像面に原稿の等倍正立画像を結像する。
【０００４】
さらに前記以外の結像方法として、特公平５−５３２４５号公報に記載されているように、二つのレンズアレイを直交配置し、このレンズアレイ間でこれらのレンズアレイの配列方向に直交する稜線をレンズアレイのピッチと等ピッチで有するルーフプリズムアレイ結像素子も知られている。
図７は、そのルーフプリズムアレイ結像素子を示すものであって、７（Ａ）はその側面図、図７（Ｂ）は図７（Ａ）のＢ視方向からみた図であり、図７（Ｃ）は同Ａ視方向からみた図である。図中、６はルーフプリズムレンズアレイ、７
はルーフプリズムレンズアレイの反射面、８は同稜線を示している。
この構成において、例えば原稿面（Ｐ1）からの光束はレンズＲ1を通りルーフプリズムレンズアレイの反射面で２回反射した後、レンズＲ2から出射して結像面Ｐ2に原稿の正立等倍像を結像する。
【０００５】
また、例えば、特開平７−３５９９８号公報には、等倍結像系を構成するルーフミラーレンズアレイにおいて、レンズアレイを構成する各レンズに対し、それに対応してルーフミラーの数を２以上にしたものが記載されている。
図８は、その結像素子を示し、ルーフミラーはその谷線が対応するレンズ配列光軸間の中心に一致するよう配置されている。図はこの場合において、各レンズの境界部に対応するルーフミラー面に入射した入射光Ｌ1がルーフミラーの反射面において反射されて、ゴースト光になることを示している。
【０００６】
図９は、同じく従来の等倍結像系におけるクロストーク光発生の状況を説明するものであって、図９（Ａ）は入射光Ｌ1が入射レンズに斜めに入射した後にプリズムまたはルーフミラーの反射面で１回反射してクロストーク光となる例を示す。図９（Ｂ）は同様に入射光Ｌ2が前記反射面で２回した後、本来出射すべきレンズと別のレンズから出射して本来結像すべき場所とは異なる場所に結像してクロストーク光になる例を示している。
【０００７】
これらの結像素子においては、例えば原稿からの入射光はその入射レンズの正面から入射する限り前述のとおりに結像面上に正しく結像することができる。しかしながら、例えば図９（Ａ），図９（Ｂ）に示すように、入射光が入射光Ｌ1の斜めの方向から入射する場合、例えば、入射光Ｌ1は入射レンズＲを通過後ルーフプリズムまたはルーフミラーの反射面で一回反射してそのままレンズＲから出射してゴースト光となり、また、光Ｌ2は同様に反射面で２回反射して本来出射すべきレンズに隣接するレンズから出射し、同様にクロストーク光となる。
【０００８】
更に、図１０は、ルーフプリズムレンズアレイ結像素子１０の一例を示すもので、Ｒはレンズ、１１はルーフプリズムの稜線、１２は同反射面、１３は結像側レンズＲに入射した光が内部で隣接するレンズ側に入光することをなくすために前記反射面（ダッハ面）間に設けた切り欠き溝である。この構成によりある程度迷光の発生を抑制することができる。
しかしながら、この結像素子を用いてもレンズ面に対し斜めに入射した入射光は図示のようにプリズムの溝１３との境界面で反射され、その後反射面１２で２回反射されてレンズＲから出射し、それがクロストーク光になる。
このように、従来の等倍結像素子においてはそのままではクロストーク光やゴースト光を防止することができず、それによって画質、コントラスト、解像度の低下が免れ得なかった。
【０００９】
そこで、等倍結像素子にレンズの内又は外側にアパーチャ（絞り部材）を設けることによって等倍結像素子の入射側及び結像側のレンズに入射またはそれから出射する光の角度範囲を制限し、クロストーク光又はゴースト光となる光束を予めカットすることが行われている。
図１１は、その例を示すものである。図１１（Ａ）から明らかなように、ルーフプリズム又はルーフミラーレンズアレイ結像素子において、アパーチャ（絞り部材）２０はレンズに対して一定の角度以上での光の入出射を阻止するためのもので、それによってこのアパーチャ２０によりクロストーク光又はゴースト光を防止することができる。
【００１０】
しかしながら、アパーチャ（絞り部材）２０によってクロストーク光又はゴースト光の発生を防ぐには、光の入出射の制限を強めることが必要となるため、それらの迷光の発生を完全に阻止しようとすると、図１１（Ｂ）に示すようにアパーチャ（絞り部材）の開口を狭めざるを得ず、その結果、レンズ正面からの有効光束が蹴られ光の有効効率が悪くなってしまうという欠点が生じる。
【００１１】
【発明が解決しようとする課題】
本発明は、上記問題点に鑑みてなされたもので、ルーフミラーアレイないしルーフプリズムアレイ結像素子において、レンズアレイの各レンズに対しルーフミラー又はルーフプリズムを、その稜線がレンズ配列光軸間の中心に一致するようにして複数個配置し、アパーチャ（絞り部材）の形状を最適化することにより、従来の結像素子よりも光利用効率が高く、迷光のない、高性能な結像素子を実現することを目的とするものである。
【００１２】
【課題を解決するための手段】
請求項１の発明は、等価な一連のレンズが１列に配列されたレンズアレイと、ルーフミラーが前記レンズアレイの光軸配列上に平行して複数配列されたルーフミラーアレイと、前記レンズアレイの各レンズに対応して配設されたアパーチャを備える結像素子において、前記ルーフミラーが前記各レンズに対して、前記レンズアレイのレンズ配列光軸間の中心とルーフミラーの稜線とが一致するようにして、少なくとも２つ以上配置され、かつ前記アパーチャの前記ルーフミラーヘの投影幅が投影位置におけるルーフミラーの谷線同士の幅よりも広く、かつ前記アパーチャの投影部分にある前記ルーフミラーの反射面は、他の部分にあるルーフミラーの反射面よりも小さい結像素子である。
【００１３】
請求項２の発明は、等価な一連のレンズが１列に配列され入射側に位置する第１のレンズアレイと、該第１のレンズアレイと等価に形成され互いの光軸が直交する位置に配列された結像側の第２のレンズアレイと、前記２つのレンズアレイの配列方向に直交する方向でかつ各レンズアレイの光軸を含む平面に４５゜となるようにルーフミラーの稜線が配置されたルーフミラーアレイと、前記２つのレンズアレイの各レンズに対応して配設されたアパーチャを備えるルーフミラーアレイ結像素子において、前記ルーフミラーが前記各レンズ対に対して、各レンズアレイのレンズの配列光軸間の中心とルーフミラーの稜線とが一致するようにして、少なくとも２つ以上配置され、かつ前記アパーチャの前記ルーフミラーヘの投影幅が投影位置におけるルーフミラーの谷線同士の幅よりも広く、かつ前記アパーチャの投影部分にある前記ルーフミラーの反射面は、他の部分にあるルーフミラーの反射面よりも小さい結像素子である。
【００１４】
請求項３の発明は、請求項１又は２に記載の結像素子において、前記アパーチャの前記ルーフミラーへの投影幅は前記投影位置におけるルーフミラーの両隣にあるルーフミラーの各稜線間の幅よりも小さい結像素子である。
【００１５】
請求項４の発明は、請求項１乃至３のいずれかに記載の結像素子において、前記アパーチャの前記レンズアレイ方向の中心が、前記ルーフミラーの稜線と一致する結像素子である。
【００１６】
請求項５の発明は、等価な一連のレンズが１列に配列されたレンズアレイと、ルーフプリズムがレンズアレイの光軸配列上に平行して複数配列されレンズアレイと同一部材で一体に形成されたルーフプリズムレンズアレイと、前記レンズアレイの各レンズに対応して配設されたアパーチャを備える結像素子において、前記ルーフプリズムが前記各レンズに対して、前記レンズアレイのレンズの配列光軸間の中心とルーフプリズムの稜線とが一致するようにして、少なくとも２つ以上配置され、かつ前記アパーチャの前記ルーフプリズムヘの投影幅が投影位置におけるルーフプリズムの谷線同士の幅よりも広く、かつ前記アパーチャの投影部分にある前記ルーフプリズムの反射面は、他の部分にあるルーフプリズムの反射面よりも小さい結像素子である。
【００１７】
請求項６の発明は、等価な一連のレンズが１列に配列され入射側に位置する第１のレンズアレイと、該第１のレンズアレイと等価に形成され互いの光軸が直交する位置に配列された結像側の第２のレンズアレイと、前記２つのレンズアレイの配列方向に直交する方向でかつ各レンズアレイの光軸を含む平面に４５゜となるようにルーフプリズムの稜線が配置され、２つのレンズアレイと同一部材で一体形成されたルーフプリズムレンズアレイと、２つのレンズアレイの各レンズに対応して配設されたアパーチャを備えるルーフプリズムアレイ結像素子において、ルーフプリズムが前記２つのレンズアレイの各レンズに対して、レンズアレイのレンズの配列光軸間の中心とルーフプリズムの稜線とが一致するようにして、少なくとも２つ以上配置され、かつ前記アパーチャの前記ルーフプリズムヘの投影幅が投影位置におけるルーフプリズムの谷線同士の幅よりも広く、かつ前記アパーチャの投影部分にある前記ルーフプリズムの反射面は、他の部分にあるルーフプリズムの反射面よりも小さい結像素子である。
【００１８】
請求項７の発明は、請求項５又は６に記載の結像素子において、前記アパーチャの前記ルーフプリズムへの投影幅は前記投影位置におけるルーフプリズムの両隣にあるループリズムの各稜線間の幅よりも小さい結像素子である。
【００１９】
請求項８発明は、請求項５乃至７のいずれかに記載の結像素子において、前記アパーチャの前記レンズアレイ方向の中心が、前記ルーフプリズムの稜線と一致する結像素子である。
【００２０】
【発明の実施の形態】
図１は、請求項１記載の発明の実施形態を示している。
図中、１−１は結像素子のレンズアレイ、１−２はルーフミラーアレイ、１−３はアパーチャ（絞り部材）を示している。
本結像素子はそのレンズアレイ１−１の各レンズに対応してレンズ１つ当たりのルーフミラーの数を従来の結像素子における１から２に増やした形状であって、レンズの配列光軸間の中心とルーフミラーの稜線が一致するように、アパーチャ（絞り部材）１−３のルーフミラー投影面に当たる部分にルーフミラーの他の部分の反射面よりも小さな反射面を有するルーフミラーが形成されている。
【００２１】
図１から明らかなように、従来の装置によるときは、アパーチャ（絞り部材）１−３の下縁をかすめてレンズの境界部に入射した光Ｌ1は、波線で示すルーフミラーの谷線１−４、さらにルーフミラーの反射面１−５で反射されて本来通過すべきレンズに隣接するレンズから出射しそれがクロストーク光となる。
これに対し、本実施形態によれば、前記結像側レンズに入射した光Ｌ1はそのルーフミラーの反射面１−７で反射された後、同ルーフミラーの他の面１−８で反射されて有効光束として結像することができる。
このように本発明によるときは、従来の装置であればゴースト光やクロストーク光等の迷光となるような角度でレンズ面に入射した光であっても、その光路が補正されて正しく結像面に結像できる。従って、光の入射範囲が広がり、アパーチャ（絞り部材）１−３の開口幅を従来の波線で示すそれよりも大きくしても迷光が発生しないから、正規の結像光の光量（光利用効率）をアップすることができる。
【００２２】
図２は、請求項１記載の発明の別の実施形態を示すものである。
この実施形態においては、各レンズ当たりのルーフミラーの数を前記の実施形態よりもさらに増加させて３個としている。この場合も、レンズの配列光軸間の中心とルーフミラーの稜線が一致するように、絞り（アパーチャ）１−３のルーフミラー投影面にあたる部分に他の部分の反射面より小さな反射面を有するルーフミラーが形成されており、その他の点については前記結像素子と同様である。
【００２３】
図３は、請求項２記載の発明の実施形態を示すものである。
この実施形態はルーフプリズムアレイ結像素子のレンズアレイ２−１のレンズに対応してレンズ１つ当たりのルーフプリズムアレイ２−２のルーフプリズム数を２個に増やした形状とし、図１に関連して説明した前記レンズアレイ結像素子と同様にレンズの配列光軸間とルーフプリズムの稜線が一致するように、絞り（アパーチャ）のルーフプリズム投影面にあたる部分に他の部分の反射面より小さな反射面を有するルーフプリズム２−３が形成されている。
この場合の作用は前記ルーフミラーレンズアレイの場合と同様であり、迷光が発生しないレンズの開口幅を従来のそれよりも広くすることができる。
【００２４】
請求項５記載の発明は、図２に関連して説明したのと同様のルーフミラーを用いたレンズアレイ直交配置タイプのルーフミラーアレイ結像素子に関するものであり、図示しないが、基本的機能は図２に示したものと同様である。即ち、本発明の実施形態においては、このレンズアレイ直交配置タイプのルーフミラーアレイ結像素子において、レンズアレイの各レンズに対応するルーフミラーの数を２又は３に増やし、その際、各レンズの配列光軸間の中心とルーフミラーの稜線が一致するように、図２に示したものと同様に、アパーチャ（絞り）のルーフミラー投影面にあたる部分に他の部分の反射面より小さな反射面を有するルーフミラーを追加形成している。この構成により、結像側レンズからの入射光は図２に図示したと同様に、従来はクロストーク光のように迷光になってしまったものを有効光束として結像させることができる。
【００２５】
請求項６記載の発明は、請求項２記載の発明におけるルーフミラーに代えてルーフプリズムを用いたレンズアレイ直交配置タイプのルーフプリズムアレイ結像素子であり、これも図示しないが、その基本的機能は図３に示したものと同様である。即ち、この場合も入射側及び結像側レンズアレイの各々のレンズに対応するルーフプリズムの数を２又は３に増やし、かつ、図３に示したものと同様に各レンズの配列光軸間の中心とプリズムの稜線が一致するように、絞り（アパーチャ）のルーフプリズム投影面にあたる部分に他の部分の反射面より小さな反射面を有するルーフプリズムをレンズアレイと一体に追加形成している。この構成によって、結像側レンズからの入射光は図３に図示したと同様に、従来はクロストーク光のように迷光になるものを有効光束として結像させることができる。
【００２６】
本発明の実施形態は、請求項１〜４に記載された結像素子において、そのルーフミラーを全て同一の寸法形状としたものである。また、請求項５〜８に記載された結像素子において、そのルーフプリズムを全て同一の寸法形状としたものである。その作用効果はいずれの発明も同様であるので、ここでは請求項５記載の発明の実施形態を示す図４を参考にして説明する。
図中、３−１はレンズアレイ、３−２はルーフプリズムアレイ及び３−３はアパーチャを示している。図はルーフプリズムアレイを用いた結像素子を示している。
この実施の形態においては、結像素子は前記請求項５〜８記載の結像素子において、ルーフフプリズムの形状を全て同一の寸法形状としている。これにより、結像素子全体の厚さを図示のｔ1からｔ2にｔ1−ｔ2だけ薄くすることができ、かつ、直角屋根型反射面を製作加工するときの製作費用を安く抑えることができる。
【００２７】
請求項１〜４の発明は、結像素子において、レンズアレイに隣接配置したアパーチャ（絞り部材）のルーフミラーにおける投影幅をルーフミラーの谷線同士の幅よりも広くした構成であって、また請求項５〜８の発明は、結像素子において、同様に、レンズアレイに隣接配置したアパーチャ（絞り部材）のルーフプリズムにおける投影幅をルーフプリズムの谷線同士の幅よりも広くした構成である。いずれの発明もその構成を採用したことによる作用効果は同様であるので、図５を参考にして、ルーフプリズムを用いた結像素子を例に採って説明する。
【００２８】
図５は、前記結像素子において、レンズアレイ４−１に隣接配置したアパーチャ（絞り部材）４−３のルーフプリズムアレイ４−２における投影幅Ｗ1を、ルーフプリズムの谷線同士の幅Ｗ2よりも広くした構成を示している。
アパーチャの前記投影幅Ｗ1をルーフプリズムの幅Ｗ2よりも狭くした場合には、アパーチャの近傍より入射した光Ｌ1はルーフプリズムアレイ４−２のプリズムで２回反射して、本来出射すべき結像側レンズに隣接するレンズから出射してクロストーク光になる。これに対し、アパーチャの前記投影幅Ｗ1をルーフプリズムの幅Ｗ2よりも広くした場合には、図５に示すように、アパーチャの近傍より入射する光も有効光束として結像することができる。
【００２９】
【発明の効果】
本発明によれば、ルーフミラーを各レンズに対し、レンズの配列光軸間の中心とルーフミラーの稜線が一致するように少なくとも２対以上配置したことにより、クロストーク光を有効光束に変えることができ、また、アパーチャ開口を従来のものよりも広くできるので光量（光利用効率）をアップすることができる。また、開口を広げたことにより配列方向の画角も広くとることが可能である。また、アパーチャの投影幅がルーフミラーの谷線同士の幅よりも広く、かつアパーチャの投影部分にあるルーフミラーの反射面は、他の部分にあるルーフミラーの反射面よりも小さいため、原稿面光軸付近からの光束がアパーチャ開口縁を通過した場合でもクロストーク光とならず全て有効光束となり、光の利用損失を最小限にすることができる。
【００３０】
また、本発明によれば、ルーフプリズムアレイとレンズアレイとを一体に形成したので、ルーフプリズムアレイとレンズアレイから成る結像素子に比べ部品点数が少なくコストダウンのメリットがある。
【００３１】
また、本発明によれば、前記効果と同様の効果を、レンズアレイ直交配列タイプのルーフミラーアレイ結像素子においても得ることができる。また、アパーチャの投影幅がルーフミラーの谷線同士の幅よりも広く、かつアパーチャの投影部分にあるルーフミラーの反射面は、他の部分にあるルーフミラーの反射面よりも小さいため、原稿面光軸付近からの光束がアパーチャ開口縁を通過した場合でもクロストーク光とならず全て有効光束となり、光の利用損失を最小限にすることができる。
【００３２】
また、本発明によれば、前記効果と同様の効果を、レンズアレイ直交配列タイプのルーフプリズムアレイ結像素子においても得ることができる。
【図面の簡単な説明】
【図１】  結像装置における本発明のルーフミラーの実施形態の構造を示した図である。
【図２】  結像装置における本発明のルーフミラーの他の実施形態の構造を示した図である。
【図３】  結像装置における本発明のルーフプリズムの実施形態の構造を示した図である。
【図４】    結像装置における本発明の他のルーフプリズムの実施形態の構造を示した図である。
【図５】    結像装置における本発明のルーフプリズムの幅とアパーチャの幅との関係を説明するための図である。
【図６】    従来のルーフミラーアレイを用いた結像素子の構造を示す図である。
【図７】    従来のルーフプリズムアレイを用いた結像素子の構造を示す図である。
【図８】    従来の結像素子の問題点を説明するための図である。
【図９】    従来の他の結像素子の問題点を説明するための図である。
【図１０】  従来の更に他の結像素子の問題点を説明するための図である。
【図１１】  従来の解決手段を説明するための図である。
【符号の説明】
１，１−１，２−１，３−１，４−１…レンズアレイ、１−２，２…ルーフミラーアレイ、１−３，３−３，４−３，２０…アパーチャ、２−２，３−２，４−２…ルーフプリズムアレイ、Ｐ1…物体側（原稿）面、Ｐ2…結像面。
【図１】
0003688104.tif 000002
【図２】
0003688104.tif 000003
【図３】
0003688104.tif 000004
【図４】
0003688104.tif 000005
【図５】
0003688104.tif 000006
【図６】
0003688104.tif 000007
【図７】
0003688104.tif 000008
【図８】
0003688104.tif 000009
【図９】
0003688104.tif 000010
【図１０】
0003688104.tif 000011
【図１１】
0003688104.tif 000012